(57)【要約】【課題】本発明は、オペレータの聴覚が不自由な場合であっても、設備を最適に稼動させることを可能とするため、手話の画像データを含む表示器用データを作成または編集することができる作画プログラムを提供することを課題とする。【解決手段】上記課題を解決するため、本発明は、プログラマブル表示器Ｃにおいて表示または再生される画像または音声に関する表示器用データ２０をコンピュータＢで作成または編集することができる作画プログラムＤであって、前記表示器用データ２０が、手話画像データ２５と前記手話画像データ２５に対応した意味を有する音声データ２６とを同期させて構成されていることを特徴とした。【選択図】図１
2008134686.tif 000002
【特許請求の範囲】
【請求項１】
プログラマブル表示器において表示または再生される画像または音声に関する表示器用データをコンピュータで作成または編集することができる作画プログラムであって、前記表示器用データが、手話画像データと前記手話画像データに対応した意味を有する音声データとを同期させて構成されていることを特徴とする作画プログラム。
【請求項２】
一定の意味を表す手話画像データと、前記手話画像データに対応した意味を有する音声データとを同期させて構成される表示器用部品を複数種類集めたライブラリを有し、前記ライブラリの中から複数の表示器用部品が選択され、選択された複数の表示器用部品を連結させることにより、任意の内容を示す表示器用データが作成されることを特徴とする請求項１に記載の作画プログラム。
【請求項３】
前記表示器用データがプログラマブル表示器において再生される場合に、連結された表示器用部品単位で再生が行われ、一の表示器用部品を構成する手話画像データおよび音声データの両方の再生が終了したことを条件に、次の表示器用部品の再生が開始されることを特徴とする請求項２に記載の作画プログラム。
【請求項４】
手話画像データおよび音声データのそれぞれには再生速度に関するデータが含まれており、プログラマブル表示器において再生される手話画像の内容と音声の内容とが一致するように少なくともいずれか一方の再生速度が調整されることを特徴とする請求項２に記載の作画プログラム。
【請求項５】
請求項１〜４のいずれかに記載された作画プログラムを用いてコンピュータにおいて作成された表示器用データを取り込んで、手話画像および前記手話画像に対応した意味を有する音声を同時に再生させることができることを特徴とするプログラマブル表示器。
【請求項６】
コンピュータおよびプログラマブル表示器を備えた表示システムであって、請求項１〜４のいずれかに記載された作画プログラムを用いてコンピュータにおいて作成された表示器用データをプログラマブル表示器に転送させ、前記プログラマブル表示器において手話画像および前記手話画像に対応した意味を有する音声を同時に再生させることを特徴とする表示システム。
【発明の詳細な説明】
【技術分野】
【０００１】
本発明は、プログラマブル表示器で再生される表示器用データを作成または編集することができる作画プログラムと、前記作画プログラムを用いて作成または編集された表示器用データを再生することができるプログラマブル表示器と、前記作画プログラムを用いて作成または編集された表示器用データをプログラマブル表示器に転送して再生させる表示システムに関するものである。
【背景技術】
【０００２】
制御システムにおいては、様々な出力機器（電磁弁やモータ等）を制御するため、プログラマブルコントローラ（以下、ＰＬＣとする）とともに、プログラマブル表示器が使用される。
【０００３】
プログラマブル表示器は、出力機器やＰＬＣの状態をＰＬＣより取得して、プログラマブル表示器に内蔵のディスプレイに画面表示する。また、プログラマブル表示器は、オペレータによる制御指示を、ディスプレイ画面上に配されたタッチパネル等の手段によってＰＬＣや出力機器へと伝達する。
【０００４】
例えば、特許文献１には対象器機の仕様に変更が生じた場合でもファームウェアの変更を伴わずに対応可能としたプログラマブル表示器が開示されている。
【特許文献１】特開２００３−０７６４０６号公報
【発明の開示】
【発明が解決しようとする課題】
【０００５】
近年、経験の少ないオペレータでも設備を最適に稼動できるように、音声によってオペレータに操作案内等をすることができるプログラマブル表示器も開発されている。
【０００６】
しかし、音声による操作案内は、オペレータの聴覚が不自由な場合には役に立たない。そのため、オペレータが聴覚の不自由な人であっても、設備を最適に稼動させることが可能なプログラマブル表示器の開発が望まれている。
【０００７】
そこで本発明は、上記問題点を鑑み、オペレータの聴覚が不自由な場合であっても、設備を最適に稼動させることを可能とするため、手話の画像データを含む表示器用データを作成または編集することができる作画プログラムと、前記作画プログラブを用いて作成または編集された表示器用データを再生可能なプログラマブル表示器と、前記作画プログラムを用いて作成または編集された表示器用データをプログラマブル表示器に転送して再生させる表示システムとを提供することを課題とする。
【課題を解決するための手段】
【０００８】
上記課題を解決するため、請求項１の発明では、プログラマブル表示器において表示または再生される画像または音声に関する表示器用データをコンピュータで作成または編集することができる作画プログラムであって、前記表示器用データが、手話画像データと前記手話画像データに対応した意味を有する音声データとを同期させて構成されていることを特徴とした。
【０００９】
請求項１の発明に係る作画プログラムによれば、音声とともに手話画像をプログラマブル表示器で再生させるための表示器用データを容易に作成または編集することができる。そのため、本発明に係る作画プログラムによって作成または編集された表示器用データをプログラマブル表示器で再生させることにより、オペレータの聴覚が不自由な場合であっても、オペレータは手話画像の案内に従ってプログラマブル表示器を操作することができ、設備を最適に稼動させることができる。
【００１０】
また、請求項１の発明に係る作画プログラムによれば、プログラマブル表示器で表示または再生される表示器用データが、手話画像データと音声データとを予め同期させて構成されている。そのため、本発明に係る作画プログラムは、音声が再生されるタイミングと手話画像が再生されるタイミングとを合わせるために、音声データと手話画像データとを同期させる手順が不要であり、音声データを作成または編集するだけであった従来の作画プログラムと同様の手順によって表示器用データを容易に作成または編集することができる。
【００１１】
請求項２の発明では、請求項１の発明において、一定の意味を表す手話画像データと、前記手話画像データに対応した意味を有する音声データとを同期させて構成される表示器用部品を複数種類集めたライブラリを有し、前記ライブラリの中から複数の表示器用部品が選択され、選択された複数の表示器用部品を連結させることにより、任意の内容を示す表示器用データが作成されることを特徴とした。
【００１２】
これにより、使用者は、任意の文章を内容とした手話画像データおよび音声データから構成される一連の表示器用データをコンピュータで容易に作成または編集することができる。そのため、例えば、使用者は、操作案内に関する表示器用データをプログラマブル表示器が使用される設備に応じて作り変えることができる。
【００１３】
請求項３の発明では、請求項２の発明において、前記表示器用データがプログラマブル表示器において再生される場合に、連結された表示器用部品単位で再生が行われ、一の表示器用部品を構成する手話画像データおよび音声データの両方の再生が終了したことを条件に、次の表示器用部品の再生が開始されることを特徴とした。
【００１４】
表示器用部品を連結させて表示器用データを作成したとき、手話画像の再生時間と音声の再生時間とが異なる場合がある。このような場合、プログラマブル表示器で再生されている手話画像の内容と音声の内容との間にずれが生じる可能性がある。請求項３の発明に係る作画プログラムによれば、表示用部品（単語または文節）単位で手話画像の再生および音声の再生を開始するタイミングを合わせて、手話画像データと音声データとが同期されている。そのため、プログラマブル表示器において特別な制御を要することなく、プログラマブル表示器において再生される手話画像の内容と音声の内容とを一致させることができる。
【００１５】
請求項４の発明では、請求項２に記載の作画プログラムにおいて、手話画像データおよび音声データのそれぞれには再生速度に関するデータが含まれており、プログラマブル表示器において再生される手話画像の内容と音声の内容とが一致するように少なくともいずれか一方の再生速度が調整されることを特徴とした。
【００１６】
請求項４の発明に係る作画プログラムによれば、表示用部品（単語または文節）単位で手話画像の再生時間と音声の再生時間とを一致させることができる。そのため、本発明に係る作画プログラムによって作成または編集された表示器用データをプログラマブル表示器において再生させることにより、プログラマブル表示器で特別な制御をすることなく、手話画像と音声との間にずれが生じるのを防止させることができる。
【００１７】
請求項５の発明は、プログラマブル表示器であって、請求項１〜４のいずれかに記載された作画プログラムを用いてコンピュータにおいて作成された表示器用データを取り込んで、手話画像および前記手話画像に対応した意味を有する音声を同時に再生させることができることを特徴とした。
【００１８】
請求項５の発明に係るプログラマブル表示器によれば、音声とともに手話画像を再生させることができるため、オペレータの聴覚が不自由な場合であっても、オペレータは手話画像の案内に従い、プログラマブル表示器を操作することができ、設備を最適に稼動させることができる。
【００１９】
請求項６の発明では、コンピュータおよびプログラマブル表示器を備えた表示システムであって、請求項１〜４のいずれかに記載された作画プログラムを用いてコンピュータにおいて作成された表示器用データをプログラマブル表示器に転送させ、前記プログラマブル表示器において手話画像および前記手話画像に対応した意味を有する音声を同時に再生させることを特徴とした。
【００２０】
請求項６の発明に係る表示システムによれば、従来までの音声データに手話画像データが同期された表示器用データを、従来の音声データと同様の手順により、プログラマブル表示器に転送させることができる。そのため、本発明に係る表示システムは、音声データに手話画像データを同期させる処理が不要であり、取り扱いが容易である。
【００２１】
また、表示システムに含まれるプログラマブル表示器においては、音声とともに手話画像を再生させることができるため、オペレータの聴覚が不自由な場合であっても、オペレータは手話画像の案内に従ってプログラマブル表示器を操作することができ、設備を最適に稼動させることができる。
【発明の効果】
【００２２】
本発明では、音声とともに手話画像をプログラマブル表示器で再生させるための表示器用データを容易に作成または編集することができる。そのため、本発明に係る作画プログラムによって作成または編集された表示器用データをプログラマブル表示器で再生させることにより、オペレータの聴覚が不自由な場合であっても、オペレータは手話画像の案内に従ってプログラマブル表示器を操作することができ、設備を最適に稼動させることができる。
【発明を実施するための最良の形態】
【００２３】
図１は、本実施形態に係る表示システムＡを示す。表示システムＡは、パソコンＢ（コンピュータ）とプログラマブル表示器Ｃとを備えており、パソコンＢには作画プログラムＤがインストールされている。パソコンＢとプログラマブル表示器Ｃとはケーブルで接続されておりパソコンＢで作成または編集された表示器用データ２０をプログラマブル表示器Ｃに転送させることができる。
【００２４】
図２は、表示システムＡが備えるパソコンＢの構成を示す。パソコンＢは、作画プログラムＤが格納されたメモリ部１と、メモリ部１に格納されたプログラムに基づいて器機全体を制御する制御部２と、制御部２からの指示により画像が表示される表示部３と、制御部２からの指示により音声が再生される音声再生部５と、制御部２に命令を与えるキーボードやマウス等の入力部６と、ネットワーク８に繋がった他の器機とデータの交換を行うインターフェース部７とを備えている。
【００２５】
パソコンＢのメモリ部１に格納された作画プログラムＤは、プログラマブル表示器Ｃにおいて表示または再生される音声または画像に関する表示器用データ２０をパソコンＢで作成または編集するためのプログラムである。作画プログラムＤは、複数種類の表示器用部品２１を集めて構成されるライブラリ２２を備えており、使用者は、前記ライブラリ２２の中から任意の表示器用部品２１を選択して表示器用データ２０を構成することができる。
【００２６】
図３は、表示器用部品２１のデータ構造を示す。表示器用部品２１は、一定の意味を表す手話画像データ２５と、前記手話画像データ２５に対応した意味を有する音声データ２６とが同期されて構成されたものである。例えば、「ありがとう」という意味の手話画像データ２５ａと「ありがとう」と発音される音声データ２６ａとが同期されて一つの表示器用部品２１ａが構成されている。本実施形態において、表示器用部品２１は、例えば「左の」、「ボタンを」、「押して下さい」といったように文節単位の言葉を意味している。
【００２７】
さらに詳しく説明すると、表示器用部品は、図３に示すように、手話画像データフォーマット２７および音声データフォーマット２８を備えている。手話画像フォーマット２７には、手話画像データ番号３０と、手話画像データ２５とが記憶されており、音声データフォーマット２８には、音声データ番号３１と、音声データ２６と、前記音声データ２６が対応する手話画像データ番号３０とが記憶されている。本実施形態に係る作画プログラムＤにおいては、上記のよう音声データフォーマット２８に音声データ２６と対応する手話画像データ番号３０を記録させることにより、手話画像データ２５と前記手話画像データ２５に対応した意味を有する音声データ２６とを同期させて表示器用部品２１が構成されている。
【００２８】
また上記の手話画像データ２５および音声データ２６のそれぞれには再生速度に関するデータが含まれている。そのため使用者は、キーボードなどの入力部６から任意の再生速度を入力することによって、プログラマブル表示器Ｃにおいて再生される手話画像および音声の再生速度をパソコンＢ上でそれぞれ調整することができる。
【００２９】
作画プログラムＤを用いて表示器用データ２０を作成または編集する際、使用者は、複数種類の表示器用部品２１を集めて構成されたライブラリ２２の中から表示器用部品２１を選択して表示器用データ２０を構成することができる。ライブラリ２２の中から使用者が選択する表示器用部品２１は、一つであってもよいし、複数であってもよい。
【００３０】
使用者が複数の表示器用部品２１を選択した場合、本実施形態に係る作画プログラムＤは、選択された複数の表示器用部品２１をそれぞれ連結させることにより、任意の内容を示す表示器用データ２０を作成することができる。例えば、使用者は、「左の」、「ボタンを」、「押して下さい」を内容する３つの表示器用部品２１をライブラリ２２の中から選択し、選択された表示器用部品２１をそれぞれ連結させて、「左のボタンを押して下さい。」という内容の表示器用データ２０を作成することができる。
【００３１】
使用者が表示器用部品２１を選択する方法としては、例えば、図４や図５に示すように、パソコンＢの表示部３に、表示器用部品２１を示すアイコン３３を集めて構成されるライブラリ２２と、プログラマブル表示器Ｃの表示部１３のイメージ画面３５とを表示させ、上記アイコン３３をドラッグアンドドロップによって、ライブラリ２２内からイメージ画面３５内に移動させることにより、表示器用部品２１が選択される構成にすることができる。また、ライブラリ２２の中から順番に複数のアイコン３３をイメージ画面３５内に移動させることにより、イメージ画面３５内にアイコン３３移動された順番に表示器用部品２１を連結させる構成とすることもできる。このようにして作成された表示器用データ２０は、パソコンＢ上で再生させてその内容を確認することができる。
【００３２】
図６は、作画プログラムＤで作成された表示器用データ２０のデータ構造を示す。表示器用データ２０は、画像部３７と音声部３８から構成されている。画像部３７には、ライブラリ２２から選択された表示器用部品２１を構成する手話画像データフォーマット２７がプログラマブル表示器Ｃの表示部１３で再生される順に連結されて記憶されている。また音声部３８には、選択された表示器用部品を構成する音声データフォーマット２８がプログラマブル表示器Ｃの音声再生部１５で再生される順に連結されて記憶されている。
【００３３】
図７は、本実施形態に係るプログラマブル表示器Ｃを示す構成図である。プログラマブル表示器Ｃは、プログラムやデータが記憶されるメモリ部１１と、メモリ部１１に記憶されたプログラムに基づいて器機全体を制御する制御部１２と、制御部１２からの指示により画像を表示する表示部１３と、制御部１２からの指示により音声を再生する音声再生部１５と、制御部１２に命令を与える入力部１６と、ネットワークに繋がった他の器機とデータの交換を行うインターフェース部１７とを備えている。
【００３４】
作画プログラムＤを用いてパソコンＢ上で作成された表示器用データ２０は、図１に示すように、ケーブル９を介してプログラマブル表示器Ｃに転送される。プログラマブル表示器Ｃのインターフェース部１７によって受け取られた表示器用データ２０は、制御部１２を通じてメモリ部１１に記憶される。
【００３５】
プログラマブル表示器Ｃにおける表示器用データ２０の再生は、制御部１２によってメモリ１１に記憶された表示器用データ２０が読み込まれ、表示部１３において手話画像が再生され、音声再生部１５において前記手話画像に対応した音声が再生される。具体的には、表示器用データ２０の画像部３７に記憶された手話画像データフォーマット２７から手話画像データ２５が制御部１２によって読み込まれる。次に、表示器用データ２０の音声部３８に記憶された一または複数の音声データフォーマット２８の中から前記手話画像データ２５に対応する手話画像データ番号３０が記憶された音声データフォーマット２８が選択され、選択された音声データフォーマット２８に記憶された音声データ２６が制御部１２によって読み込まれる。そして、制御部１２によって読み込まれた手話画像データ２５は、プログラマブル表示器Ｃの表示部１３において再生され、音声データ２６は、音声再生部１５において前記手話画像データ２５と同時に再生される。
【００３６】
このように本実施形態に係る作画プログラムＤによれば、音声とともに手話画像をプログラマブル表示器Ｃで再生させるための表示器用データ２０を容易に作成または編集することができる。また、本実施形態に係る作画プログラムＤによって作成または編集された表示器用データ２０をプログラマブル表示器Ｃで再生させることにより、オペレータの聴覚が不自由な場合であっても、オペレータは手話画像の案内に従ってプログラマブル表示器Ｃを操作することができ、設備を最適に稼動させることができる。
【００３７】
また、表示器用部品２１を連結させて表示器用データ２０を作成し、前記表示器用データ２０をプログラマブル表示器Ｃにおいて再生させたとき、手話画像の再生時間と音声の再生時間とが異なる場合がある。このような場合、プログラマブル表示器Ｃで再生されている手話画像の内容と音声の内容との間にずれが生じてしまう可能性がある。
【００３８】
しかし、本実施形態に係る作画プログラムＤによって作成された表示器用データ２０の再生は、図８に示すように、表示器用データ２０を構成する表示器用部品２１を一単位として行われ、一の表示器用部品２１ａを構成する手話画像データ２５ａおよび音声データ２６ａの両方の再生が終了することを条件に、次の表示器用部品２１ｂの再生が開始される。例えば、音声データ２６ａの再生が先に終了しても手話画像データ２５ａの再生が終了するまでの間は次の音声データ２６ｂは再生されずに待機状態となり、手話画像データ２５ａの再生が終了すると、次の表示器用部品２１ｂを構成する手話画像データ２５ｂおよび音声データ２６ｂの再生が開始される。
【００３９】
このため、本実施形態に係る作画プログラムＤを用いてパソコンＢで作成された表示器用データ２０は、表示器用部品２１単位で手話画像の再生および音声の再生が開始されるタイミングを合わせて、手話画像データ２５と音声データ２６とを同期させて構成されている。その結果、本実施形態に係る作画プログラムＤにより作成された表示器用データ２０は、プログラマブル表示器Ｃにおいて特別な制御を要することなく、プログラマブル表示器Ｃにおいて再生される手話画像の内容と音声の内容とを一致させることができ、手話画像の内容と音声の内容との間にずれが生じるのを防止することができる。
【００４０】
また、本実施形態に係る作画プログラムＤでは、表示用部品２１単位で手話画像データ２５または音声データ２６の再生速度を調整することができる。そのため本実施形態に係る作画プログラムＤにおいては、図９に示すように、音声データ２６ａ〜２６ｃの再生速度を調整することにより手話画像の再生時間と音声の再生時間とを一致させることができ、プログラマブル表示器Ｃで特別な制御を要することなく、手話画像と音声との間にずれが生じるのを防止させることも可能である。なお、再生速度を調整するのは音声データ２６ａ〜２６ｃに限られるわけではなく、手話画像データ２５ａ〜２５ｃの再生速度を調整してもよく、手話画像データ２５ａ〜２５ｃおよび音声データ２６ａ〜２６ｃの両方の再生速度を調整してもよい。
【００４１】
また、上記実施形態では、手話画像データ２５または音声データ２６の再生速度が、使用者によってパソコンＢ上調整される構成としたが、本発明はこのような構成に限られるわけではない。例えば、手話画像データ２５と音声データ２６とが同期される際に、それぞれの再生時間が相互に一致するように手話画像データ２５または音声データ２６の少なくともいずれか一方の再生速度が作画プログラムＤによって自動的に調整される構成であってもよい。
【００４２】
上記実施形態の作画プログラムＤでは、表示器用部品２１によって表される言葉は、主として文節単位のものであったが、本発明はこのような構成に限定されるわけではない。例えば、表示器用部品２１によって表される言葉は、「左」、「右」等のように単語単位のものであってもよいし、「左のボタンを押して下さい。」や「作業を終了します。」などのように文単位のものであってもよい。
【００４３】
上記実施形態では、音声データフォーマット２８に音声データ２６に対応する手話画像データ番号３０を記憶させることにより、手話画像データ２５と音声データ２６とを同期させて表示器用部品２１が構成されたが、本発明はこのような構成に限られるわけではない。例えば、手話画像データフォーマット２７に手話画像データ２５に対応する音声データ番号３１を記憶させることにより、手話画像データ２５と音声データ２６とを同期させてもよい。
【図面の簡単な説明】
【００４４】
【図１】本実施形態に係る表示システムを示す概略図である。
【図２】本実施形態に係る作画プログラムを使用するパソコンの構成図である。
【図３】本実施形態に係る作画プログラムに使用される表示器用部品の構成図である。
【図４】本実施形態に係る作画プログラムを起動させた際のパソコンの表示画面を示すイメージ図である。
【図５】本実施形態に係る作画プログラムを起動させた際のパソコンの表示画面を示すイメージ図である。
【図６】本実施形態に係る作画プログラムによって作成される表示器用データの構造図である。
【図７】本実施形態に係るプログラマブル表示器を示す構成図である。
【図８】本実施形態に係る作画プログラムにより作成された表示器用データをプログラマブル表示器で再生する際の手話画像および音声の再生時間を示すグラフである。
【図９】本実施形態に係る作画プログラムにより作成された表示器用データをプログラマブル表示器で再生する際の手話画像および音声の再生時間を示すグラフである。
【符号の説明】
【００４５】
２０  表示器用データ
２１  表示器用部品
２２  ライブラリ
２５  手話画像データ
２６  音声データ
Ａ  表示システム
Ｂ  パソコン（コンピュータ）
Ｃ  プログラマブル表示器
Ｄ  作画プログラム
【図１】
2008134686.tif 000003
【図２】
2008134686.tif 000004
【図３】
2008134686.tif 000005
【図４】
2008134686.tif 000006
【図５】
2008134686.tif 000007
【図６】
2008134686.tif 000008
【図７】
2008134686.tif 000009
【図８】
2008134686.tif 000010
【図９】
2008134686.tif 000011